(57)【要約】【課題】  カラー歪の低減や視野角の改善とともに、表示画像の輝度が均一化されたカラーディスプレイを具現化するための技術を提供する。【解決手段】  カラーディスプレイは、第１色を表示する第１カラー画素と第２色を表示する第２カラー画素と第３色を表示する第３カラー画素を有しており、各カラー画素が少なくとも２個の小画素を有しており、その小画素群が第１配置パターンで配置されている第１画素群と、第１色を表示する第１カラー画素と第２色を表示する第２カラー画素と第３色を表示する第３カラー画素を有しており、各カラー画素が少なくとも２個の小画素を有しており、その小画素群が前記第１配置パターンとは異なる第２配置パターンで配置されている第２画素群を備えている。そして、前記第１画素群と第２画素群が、少なくとも一つの方向に沿って交互に配置されていることを特徴とする。【選択図】図８
2006126830.tif 000002
【特許請求の範囲】
【請求項１】
第１色を表示する第１カラー画素と第２色を表示する第２カラー画素と第３色を表示する第３カラー画素を有しており、各カラー画素が少なくとも２個の小画素を有しており、その小画素群が第１配置パターンで配置されている第１画素群と、
第１色を表示する第１カラー画素と第２色を表示する第２カラー画素と第３色を表示する第３カラー画素を有しており、各カラー画素が少なくとも２個の小画素を有しており、その小画素群が前記第１配置パターンとは異なる第２配置パターンで配置されている第２画素群を備え、
前記第１画素群と第２画素群が、少なくとも一つの方向に沿って交互に配置されていることを特徴とするカラーディスプレイ。
【請求項２】
前記第１カラー画素が第１小画素と第２小画素とを有しており、前記第２カラー画素が第３小画素と第４小画素とを有しており、前記第３カラー画素が第５小画素と第６小画素とを有していることを特徴とする請求項１のカラーディスプレイ。
【請求項３】
前記第１小画素は第１色の暗表示出力信号によって駆動され、前記第２小画素は第１色の明表示出力信号によって駆動され、前記第３小画素および前記第４小画素は第２色の表示出力信号によって駆動され、前記第５小画素は第３色の明表示出力信号によって駆動され、前記第６小画素は第３色の暗表示出力信号によって駆動されることを特徴とする請求項２のカラーディスプレイ。
【請求項４】
前記第１配置パターンと第２配置パターンでは、前記第１小画素と前記第２小画素が第１方向に隣接して配置されており、前記第３小画素と前記第５小画素が隣接して配置されており、前記第４小画素と前記第６小画素が隣接して配置されており、前記第１小画素と前記第２小画素のいずれか一方と前記第５小画素が前記第１方向と異なる第２方向に隣接して配置されており、
前記第１配置パターンでは、前記第５小画素と前記第６小画素が前記第１方向および第２方向と異なる第３方向に隣接して配置されており、
前記第２配置パターンでは、前記第５小画素と前記第６小画素が前記第１方向、第２方向および第３方向と異なる第４方向に隣接して配置されていることを特徴とする請求項２又は３のカラーディスプレイ。
【請求項５】
前記第１方向は水平方向であり、前記第２方向は垂直方向であり、前記第３方向は一方の対角方向であり、前記第４方向は他方の対角方向であることを特徴とする請求項４のカラーディスプレイ。
【請求項６】
前記第１色のカラー画素は緑色画素であり、前記第２色のカラー画素は赤色画素であり、前記第３色のカラー画素は青色画素であることを特徴とする請求項１から５のいずれかのカラーディスプレイ。
【請求項７】
前記第１配置パターンおよび第２配置パターンでは、前記小画素が２行３列のマトリクス状に配置されているとともに、前記第１小画素と前記第２小画素が第１列に配置されており、前記第３小画素と前記第５小画素が第２列に配置されており、前記第４小画素と前記第６小画素が第３列に配置されていることを特徴とする請求項２のカラーディスプレイ。
【請求項８】
前記第１配置パターンは、前記第１小画素を第１行第１列に配置し、前記第２小画素を第２行第１列に配置し、前記第３小画素を第１行第２列へ配置し、前記第５小画素を第２行第２列へ配置し、前記第４小画素を第２行第３列へ配置し、前記第６小画素を第１行第３列へ配置する配置パターンであり、
前記第２配置パターンは、第１小画素を前記第１行第１列へ配置し、前記第２小画素を第２行第１列へ配置し、前記第３小画素を第２行第２列へ配置し、前記第５小画素を第１行第２列へ配置し、前記第４小画素を第１行第３列へ配置し、前記第６小画素を第２行第３列へ配置する配置パターンであることを特徴とする請求項７のカラーディスプレイ。
【請求項９】
前記第１画素群の前記第１小画素は第１の緑色暗表示出力信号によって駆動され、前記第１画素群の前記第２小画素は第１の緑色明表示出力信号によって駆動され、前記第１画素群の前記第３小画素および前記第４小画素は第１の赤色出力信号によって駆動され、前記第１画素群の前記第５小画素は第１の青色明表示出力信号によって駆動され、前記第１画素群の前記第６小画素は第１の青色暗表示出力信号によって駆動され、
前記第２画素群の前記第１小画素は第２の緑色明表示出力信号によって駆動され、前記第２画素群の前記第２小画素は第２の緑色明表示出力信号によって駆動され、前記第２画素群の前記第３小画素および前記第４小画素は第２の赤色出力信号によって駆動され、前記第２画素群の前記第５小画素は第２の青色明表示出力信号によって駆動され、前記第２画素群の前記第６小画素は第２の青色暗表示出力信号によって駆動されることを特徴とする請求項８のカラーディスプレイ。
【請求項１０】
表示信号に対応付けて明表示信号および暗表示信号を記述している参照テーブルを記憶している記憶手段が付加されていることを特徴とする請求項９のカラーディスプレイ。
【請求項１１】
前記小画素を駆動する前記明表示出力信号には、その小画素に対して指示された表示信号に対応して前記参照テーブルに記述されている明表示信号参照値が用いられ、
前記暗表示出力信号には、指示された表示信号に対応して前記参照テーブルに記述されている暗表示信号参照値が用いられることを特徴とする請求項１０のカラーディスプレイ。
【請求項１２】
前記小画素を駆動する前記暗表示出力信号には、その小画素に隣接する同一色の小画素群のなかの少なくとも２つに対して指示された表示信号に対応して前記参照テーブルに記述されている暗表示信号参照値の平均値が用いられることを特徴とする請求項１０のカラーディスプレイ。
【請求項１３】
各画素群の第２行に位置する小画素を駆動する表示出力信号には、その小画素に対して指示された表示信号と、その小画素に隣接する少なくとも１つの画素群に対して指示された同一色の表示信号とを平均した調整指示信号に対応して、前記参照テーブルに記述されている暗表示信号参照値又は明表示信号参照値が用いられることを特徴とする請求項１０のカラーディスプレイ。
【請求項１４】
各画素群の第２行に位置する小画素を駆動する明表示出力信号には、その小画素に対して指示された表示信号と、その小画素に隣接する少なくとも１つの画素群に対して指示された同一色の表示信号とを平均した調整指示信号に対応して、前記参照テーブルに記述されている明表示信号参照値が用いられるとともに、
前記小画素を駆動する前記暗表示出力信号には、その小画素に隣接する同一色の小画素群のなかの少なくとも２つに対して指示された表示信号又は計算された調整指示信号に対応して前記参照テーブルに記述されている暗表示信号参照値の平均値が用いられることを特徴とする請求項１０のカラーディスプレイ。
【請求項１５】
各画素群の第２行および第１行第３列に位置する小画素を駆動する表示出力信号には、その小画素に対して指示された表示信号と、その小画素に隣接する少なくとも１つの画素群に対して指示された同一色の表示信号とを平均した調整指示信号に対応して、前記参照テーブルに記述されている暗表示信号参照値又は明表示信号参照値が用いられることを特徴とする請求項１０のカラーディスプレイ。
【請求項１６】
各画素群の第２行および第１行第３列に位置する小画素を駆動する明表示出力信号には、その小画素に対して指示された表示信号と、その小画素に隣接する少なくとも１つの画素群に対して指示された同一色の表示信号とを平均した調整指示信号に対応して、前記参照テーブルに記述されている明表示信号参照値が用いられるとともに、
前記小画素を駆動する前記暗表示出力信号には、その小画素に隣接する同一色の小画素群のなかの少なくとも２つに対して指示された表示信号又は計算された調整指示信号に対応して前記参照テーブルに記述されている暗表示信号参照値の平均値が用いられることを特徴とする請求項１０のカラーディスプレイ。
【請求項１７】
各画素群の第２行、第１行第２列および第１行第３列に位置する小画素を駆動する表示出力信号には、その小画素に対して指示された表示信号と、その小画素に隣接する少なくとも１つの画素群に対して指示された同一色の表示信号とを平均した調整指示信号に対応して、前記参照テーブルに記述されている暗表示信号参照値又は明表示信号参照値が用いられることを特徴とする請求項１０のカラーディスプレイ。
【請求項１８】
各画素群の第２行、第１行第２列および第１行第３列に位置する小画素を駆動する明表示出力信号には、その小画素に対して指示された表示信号と、その小画素に隣接する少なくとも１つの画素群に対して指示された同一色の表示信号とを平均した調整指示信号に対応して、前記参照テーブルに記述されている明表示信号参照値が用いられるとともに、
前記小画素を駆動する前記暗表示出力信号には、その小画素に隣接する同一色の小画素群のなかの少なくとも２つに対して指示された表示信号又は計算された調整指示信号に対応して前記参照テーブルに記述されている暗表示信号参照値の平均値が用いられることを特徴とする請求項１０のカラーディスプレイ。
【請求項１９】
前記第１配置パターンおよび第２配置パターンでは、前記小画素が２行３列のマトリクス状に配置されているとともに、前記第１小画素と前記第３小画素が第１列に配置されており、前記第２小画素と前記第５小画素が第２列に配置されており、前記第４小画素と前記第６小画素が第３列に配置されていることを特徴とする請求項２のカラーディスプレイ。
【請求項２０】
前記第１配置パターンは、前記第１小画素を第１行第１列へ配置し、前記第３小画素を第２行第１列へ配置し、前記第２小画素を第１行第２列へ配置し、前記第５小画素を第２行第２列へ配置し、前記第６小画素を第１行第３列へ配置し、前記第４小画素を第２行第３列へ配置する配置パターンであり、
前記第１配置パターンは、前記第１小画素を第２行第１列へ配置し、前記第３小画素を第１行第１列へ配置し、前記第２小画素を第２行第２列へ配置し、前記第５小画素を第１行第２列へ配置し、前記第６小画素を第２行第３列へ配置し、前記第４小画素を第１行第３列へ配置する配置パターンであることを特徴とする請求項１９のカラーディスプレイ。
【請求項２１】
前記第１画素群の前記第１小画素は第１の緑色暗表示出力信号によって駆動され、前記第１画素群の前記第２小画素は第１の緑色明表示出力信号によって駆動され、前記第１画素群の前記第３小画素および前記第４小画素は第１の赤色出力信号によって駆動され、前記第１画素群の前記第５小画素は第１の青色明表示出力信号によって駆動され、前記第１画素群の前記第６小画素は第１の青色暗表示出力信号により駆動され、
前記第２画素群の前記第１小画素は第２の緑色暗表示出力信号によって駆動され、前記第２画素群の前記第２小画素は第２の緑色明表示出力信号によって駆動され、前記第２画素群の前記第３小画素および前記第４小画素は第２の赤色出力信号によって駆動され、前記第２画素群の前記第５小画素は第２の青色明表示出力信号によって駆動され、前記第２画素群の前記第６小画素は第２の青色暗表示出力信号によって駆動されることを特徴とする請求項２０のカラーディスプレイ。
【請求項２２】
前記第１画素群の前記第１小画素は第１の緑色暗表示出力信号によって駆動され、前記第１画素群の前記第２小画素は第１の緑色明表示出力信号によって駆動され、前記第１画素群の前記第３小画素および前記第４小画素は第１の赤色出力信号によって駆動され、前記第１画素群の前記第５小画素は第１青色暗表示出力信号によって駆動され、前記第１画素群の前記第６小画素は第１の青色明表示出力信号によって駆動され、
前記第２画素群の前記第１小画素は第２の緑色暗表示出力信号によって駆動され、前記第２画素群の前記第２小画素は第２緑色明表示出力信号によって駆動され、前記第２画素群の前記第３小画素および前記第４小画素は第２の赤色出力信号によって駆動され、前記第２画素群の前記第５小画素は第２の青色暗表示出力信号によって駆動され、前記第２画素群の前記第６小画素は第２の青色明表示出力信号によって駆動されることを特徴とする請求項８のカラーディスプレイ。
【請求項２３】
表示信号に対応付けて明表示信号および暗表示信号を記述している参照テーブルを記憶している記憶手段が付加されていることを特徴とする請求項２１又は２２のカラーディスプレイ。
【請求項２４】
小画素を駆動する前記明表示出力信号には、その小画素に対して指示された表示信号に対応して前記参照テーブルに記述されている明表示信号参照値が用いられ、
前記暗表示出力信号には、指示された表示信号に対応して前記参照テーブルに記述されている暗表示信号参照値が用いられることを特徴とする請求項２３のカラーディスプレイ。
【請求項２５】
前記小画素を駆動する前記暗表示出力信号には、その小画素に隣接する同一色の小画素群のなかの少なくとも２つに対して指示された表示信号に対応して前記参照テーブルに記述されている暗表示信号参照値の平均値が用いられることを特徴とする請求項２３のカラーディスプレイ。
【請求項２６】
各画素群の第２行に位置する小画素を駆動する表示出力信号には、その小画素に対して指示された表示信号と、その小画素に隣接する少なくとも１つの画素群に対して指示された同一色の表示信号とを平均した調整指示信号に対応して、前記参照テーブルに記述されている暗表示信号参照値又は明表示信号参照値が用いられることを特徴とする請求項２３のカラーディスプレイ。
【請求項２７】
各画素群の第２行に位置する小画素を駆動する明表示出力信号には、その小画素に対して指示された表示信号と、その小画素に隣接する少なくとも１つの画素群に対して指示された同一色の表示信号とを平均した調整指示信号に対応して、前記参照テーブルに記述されている明表示信号参照値が用いられるとともに、
前記小画素を駆動する前記暗表示出力信号には、その小画素に隣接する同一色の小画素群のなかの少なくとも２つに対して指示された表示信号又は計算された調整指示信号に対応して前記参照テーブルに記述されている暗表示信号参照値の平均値が用いられることを特徴とする請求項２３のカラーディスプレイ。
【請求項２８】
各画素群の第２行および第１行第３列に位置する小画素を駆動する表示出力信号には、その小画素に対して指示された表示信号と、その小画素に隣接する少なくとも１つの画素群に対して指示された同一色の表示信号とを平均した調整指示信号に対応して、前記参照テーブルに記述されている暗表示信号参照値又は明表示信号参照値が用いられることを特徴とする請求項２３のカラーディスプレイ。
【請求項２９】
各画素群の第２行および第１行第３列に位置する小画素を駆動する明表示出力信号には、その小画素に対して指示された表示信号と、その小画素に隣接する少なくとも１つの画素群に対して指示された同一色の表示信号とを平均した調整指示信号に対応して、前記参照テーブルに記述されている明表示信号参照値が用いられるとともに、
前記小画素を駆動する前記暗表示出力信号には、その小画素に隣接する同一色の小画素群のなかの少なくとも２つに対して指示された表示信号又は計算された調整指示信号に対応して前記参照テーブルに記述されている暗表示信号参照値の平均値が用いられることを特徴とする請求項２３のカラーディスプレイ。
【請求項３０】
各画素群の第２行、第１行第２列および第１行第３列に位置する小画素を駆動する表示出力信号には、その小画素に対して指示された表示信号と、その小画素に隣接する少なくとも１つの画素群に対して指示された同一色の表示信号とを平均した調整指示信号に対応して、前記参照テーブルに記述されている暗表示信号参照値又は明表示信号参照値が用いられることを特徴とする請求項２３のカラーディスプレイ。
【請求項３１】
各画素群の第２行、第１行第２列および第１行第３列に位置する小画素を駆動する明表示出力信号には、その小画素に対して指示された表示信号と、その小画素に隣接する少なくとも１つの画素群に対して指示された同一色の表示信号とを平均した調整指示信号に対応して、前記参照テーブルに記述されている明表示信号参照値が用いられるとともに、
前記小画素を駆動する前記暗表示出力信号には、その小画素に隣接する同一色の小画素群のなかの少なくとも２つに対して指示された表示信号又は計算された調整指示信号に対応して前記参照テーブルに記述されている暗表示信号参照値の平均値が用いられることを特徴とする請求項２３のカラーディスプレイ。
【請求項３２】
画素を駆動する駆動装置へ表示信号を出力するカラーディスプレイの信号処理システムであって、
指示される表示信号に対応付けて第１信号群を記憶しており、指示された表示信号に対応する第１信号を出力する第１信号出力部と、
指示される表示信号に対応付けて第２信号群を記憶しており、指示された表示信号に対応する第２信号を出力する第２信号出力部と、
第１信号出力部と第２信号出力部に接続されており、第１信号出力部から入力した第１信号と第２信号出力部から入力した第２信号のいずれかを選択して前記駆動装置へと出力するデータ選択部と、
を備える信号処理システム。
【請求項３３】
前記データ選択器に接続されており、データ選択部によって選択された信号を入力し、その入力した信号を前記駆動装置へ出力するコントローラをさらに備えることを特徴とする請求項３２の信号処理システム。
【請求項３４】
前記第１信号は、指示された表示信号に対応する明表示信号であることを特徴とする請求項３２の信号処理システム。
【請求項３５】
前記第２信号は、指示された表示信号に対応する暗表示信号であることを特徴とする請求項３２の信号処理システム。
【請求項３６】
第１色を表示する第１カラー画素と第２色を表示する第２カラー画素と第３色を表示する第３カラー画素を有しており、各カラー画素が少なくとも２個の小画素を有しており、その小画素群が第１配置パターンで配置されており、その小画素群が第１信号群によって駆動される第１画素群と、
第１色を表示する第１カラー画素と第２色を表示する第２カラー画素と第３色を表示する第３カラー画素を有しており、各カラー画素が少なくとも２個の小画素を有しており、その小画素群が前記第１配置パターンとは異なる第２配置パターンで配置されており、その小画素群が第２信号群によって駆動される第２画素群とを備え、
前記第１画素群と第２画素群が、少なくとも一つの方向に沿って交互に配置されていることを特徴とするカラーディスプレイ。
【請求項３７】
前記第１信号群は、少なくとも明表示信号群と暗表示信号群とを含んでおり、
前記明表示信号群は、第１画素群のカラー画素に対する複数の明表示信号を含んでおり、
前記暗表示信号群は、第１画素群のカラー画素に対する複数の暗表示信号を含んでいることを特徴とする請求項３６のカラーディスプレイ。
【請求項３８】
前記第２信号群は、少なくとも明表示信号群と暗表示信号群とを含んでおり、
前記明表示信号群は、第２画素群のカラー画素に対する複数の明表示信号を含んでおり、
前記暗表示信号群は、第２画素群のカラー画素に対する複数の暗表示信号を含んでいることを特徴とする請求項３６のカラーディスプレイ。
【請求項３９】
前記明表示信号と暗表示信号は、対応するカラー画素に対する指示信号に基づいて選択されるものであり、合算することによって指示信号に相当する表示信号となることを特徴とする請求項３７又は３８のカラーディスプレイ。
【発明の詳細な説明】
【技術分野】
【０００１】
本発明は、カラーディスプレイに関する。
【背景技術】
【０００２】
液晶を通過する光の角度の違いが引き起こす遅延差によって、正面から見たときの液晶ディスプレイの光透過率と、側面から見たときの液晶ディスプレイの光透過率は相違する。光伝達の屈折率は観察角度に応じて変化することとなり、観察角度に応じて透過率や輝度が変化することとなる。一方、異なる色（赤色光や緑色光や青色光等）の光を異なる輝度で合成すると、カラー歪現象が生じることが知られている。そのことから、カラーディスプレイを正面から観察するときと側面から観察するときの間で、カラー歪現象が生じることとなる。このカラー歪現象を効果的に改善する技術が必要とされている。
【０００３】
特許文献１には、一画素を異なる特性をもった複数の領域へ分割し、複数の観察方向に対して視認性が改善されたディスプレイが開示されている。しかしながら、ディスプレイ製造後は、さらなる調整は一切なされず、異なる領域が異なる視野角に対応するという事実が、またディスプレイの品質を落とすこともある。
【０００４】
特許文献２には、異なる駆動装置を用い、異なる視野角の二つのガンマ曲線に従って、各二つのフレーム時間内で指示信号を入力する方法が開示されている。しかしながら、各二つのフレーム時間内で作成された変化がちらつき現象を招くとともに、実際には特定の視野角での画像表示に画素の半分しか含まれないことから、画像の品質を低下させてしまうとともに、他の多くの異なる視野角において生ずる問題を解決することができないという問題がある。
【０００５】
特許文献３には、２×２を超える小画素を用いて画像を表示し、計算値を用いて指示画像を調整し、異なる比の明画素と暗画素を用いて画像を完成させる方法が開示されている。この技術では、複数画素を用いて様々な動きを表示する場合や、各画素を個別ユニットとして取り扱う環境下では、カラー歪等の問題を解決するために１７０ｄｐｉを超す解像度が要求される。
【０００６】
図１を参照されたい。図１は、従来技術によるカラーディスプレイ１０の小画素の配置手法を示す斜視図である。図１に示すように、従来のカラーディスプレイ１０（液晶ディスプレイ等）は、マトリスク状に配置されている複数の画素群１１，１２を備えている。その画素群１１、１２には、赤色画素と緑色画素と青色画素とが含まれている。一例として画素群１１を取り上げる。画素群１１では、第１の赤色小画素１１１と第２の赤色小画素１１２によって赤色画素が構成されており、第３の緑色小画素１１３と第４の緑色小画素１１４によって緑色画素が構成されており、第５の青色小画素１１５と第６の青色小画素１１６によって青色画素が構成されている。
このカラーディスプレイ１０では、各色のカラー画素を二つの小画素に分割するとともに、小画素を明表示信号と暗表示信号を用いて駆動する。それにより、小画素全体によってグレースケール値を形成して一色を表示し、ディスプレイの視野角を改善するとともに、大きな視野角差において生ずるカラー歪を改善する。
【０００７】
図２に示すように、第１の赤色小画素１１１は赤色明表示信号Ｈ（Ｒ１）により駆動され、第２の赤色小画素１１２は赤色暗表示信号Ｌ（Ｒ１）により駆動される（図２に示す斜線はそれらが暗表示信号によって駆動されることを示す）。第１の赤色小画素１１１と第２の赤色小画素１１２は全体で画素群１１の赤色画素（Ｒ１）を形成し、赤色画素群１１のカラー歪と視野角を改善する。同様に、第１の画素群１１中の緑色画素と青色画素は同じ方法により駆動されて第１の画素群１１のカラー歪と視野角を改善する。
【０００８】
一般に、液晶ディスプレイ内で発生するカラー歪の程度は、赤緑青の各色の間のグレースケール値の差に関係している。図３および図４から図６を参照されたい。図３は、ユーザが液晶ディスプレイ２００を点Ｑにおいて観察しているときの位置関係を示す斜視図である。図４から図６は、異なる視野角に対する赤色光と緑色光と青色光のグレースケール値と正規化透過率の関係を示す曲線図である。例えば画素のグレースケール値が０から２５５の間にあるとすると、任意のグレースケール値の正面視に対する正規化透過率は、対応するグレースケール値の正面視に対する透過率を、最大グレースケール値（通常の黒色液晶表示用の２５５等）によって除算したものとなる。任意のグレースケール値の側面視に対する正規化透過率は、対応するグレースケール値の側面視に対する透過率を、最大側面視グレースケール値（すなわち、グレースケール値２５５等）によって除算したものとなる。からなる対応側面視透過率となる。
【０００９】
図３に示すように、点Ｑと液晶ディスプレイ２００の中心とを結ぶ直線と、液晶ディスプレイ２００に垂直なｚ軸ベクトルとの間の内角をθとする。点Ｑを液晶ディスプレイ２００上に投影した点と液晶ディスプレイ２００の中心とを結ぶ直線と、ｙ軸との間の内角をψとする。図４から図６のそれぞれには、角度（ψ，θ）が（０，０），（０，４５），（０，６０）であるときのグレースケール値と正規化透過率との関係を示す曲線と、角度（０，６０）のときの正規化透過率と角度（０．０）のときの正規化透過率との差を示す曲線２０４が示されている。
図５に示すように、曲線２０５は角度（ψ，θ）が（０，０）に等しいときのグレースケール値と正規化透過率との間の関係を示しており、曲線２０６は角度（ψ，θ）が（０，４５）に等しいときのグレースケール値と正規化透過率との間の関係を示しており、曲線２０７は角度（ψ，θ）が（０，６０）に等しいときのグレースケール値と正規化透過率との間の関係を示している。また、曲線２０８は、角度（ψ，θ）が（０，６０）に等しいときの正規化透過率２０７と、角度（ψ，θ）が（０，０）に等しいときの正規化透過率２０５との差を示している。角度（ψ，θ）が（０，０）に等しいときは、ユーザが液晶ディスプレイ２００を正面から視認していることを示しており、角度（ψ，θ）が（０，４５）又は（０，６０）に等しいときは、ユーザが４５°の角度あるいは６０°の角度から液晶ディスプレイを斜視していることを示している。
【００１０】
図４から図６に示すように、グレースケール値が同一であっても、正面視に対する正規化透過率と側面視に対する正規化透過率とは相違することとなる。そのことから、カラー歪が発現することになる。
ここで、グレースケール値が０又は２５５へと近づくと、正面視に対する正規化透過率と側面視に対する正規化透過率との間の差は減少し、０％へと近づく。例えば、青色画素のグレースケール値を１２８とすることを考える。このとき、青色暗表示信号（青色暗表示用の小画素１１５のグレースケール値）をゼロとし、青色明表示信号（青色明表示用の小画素１１６のグレースケール値）を１９０とすることで、両者の小画素１１５、１１６のグレースケール値を合算した青色画素全体のグレースケール値を１２８とすることができる。グレースケール値がゼロであるとき、およびグレースケール値が１９０であるときは、グレースケール値が１２８であるときに比して、正面視に対する正規化透過率と側面視に対する正規化透過率との差が小さい。従って、青色暗表示信号と青色明表示信号の両者を用いることによって、正面視に対する正規化透過率と側面視に対する正規化透過率との差を抑制することができる。その結果、同じ輝度で画素表示をしながら、カラー歪等の問題を改善することが可能となる。
【特許文献１】米国特許第５７１７４７４号明細書
【特許文献２】米国特許第５８４７６８８号明細書
【特許文献３】米国特許出願第２００２／０１４９５９８号明細書
【発明の開示】
【発明が解決しようとする課題】
【００１１】
従来のカラーディスプレイでは、明表示信号によって駆動される小画素は第１行に集合して配置されており、暗表示信号によって駆動される小画素は第２行に集合して配置されているので、表示画像の輝度が不均一となる現象を招くことがあり、表示性能が低下することもある。
本発明は上記の課題を解決する。本発明は、カラー歪の低減や視野角の改善とともに、表示画像の輝度が均一化されたカラーディスプレイを具現化するための技術を提供する。
【課題を解決するための手段】
【００１２】
本発明の技術によって具現化されるカラーディスプレイ装置は、第１画素群と第２画素群を備えている。第１画素群は、第１色を表示する第１カラー画素と第２色を表示する第２カラー画素と第３色を表示する第３カラー画素を有している。各カラー画素は、少なくとも２個の小画素を有している。第１画素群では、それらの小画素群が、第１配置パターンで配置されている。第２画素群は、第１色を表示する第１カラー画素と第２色を表示する第２カラー画素と第３色を表示する第３カラー画素を有している。各カラー画素は、少なくとも２個の小画素を有している。第２画素群では、それらの小画素群が、第２配置パターンで配置されている。このカラーディスプレイは、第１画素群と第２画素群が、少なくとも一つの方向に沿って交互に配置されていることを特徴とする。
【００１３】
このカラーディスプレイでは、各カラー画素の少なくとも一つの小画素を明表示信号によって駆動し、各カラー画素の少なくとも一つの小画素を暗表示信号によって駆動することができる。それにより、カラー歪の低減や視野角の改善を図ることができる。
このカラーディスプレイでは、小画素が第１配置パターンによって配置されている第１画素群と、小画素が第１配置パターンと異なる第２配置パターンによって配置されている第２画素群が、交互に配置されている。それにより、明表示用の小画素や暗表示用の小画素が、表示画面上において一様に分布することとなり、表示画像の輝度が均一化される。
このカラーディスプレイによると、カラー歪の低減や視野角の改善とともに、表示画像の輝度が均一化される。
【発明を実施するための最良の形態】
【００１４】
本発明の目的、特徴、利点をさらに明瞭にするために、本発明を実施する好適な実施形態について、図面を参照しながら詳細に説明する。
（第１実施形態）
図７を参照されたい。図７は、本発明の第１の実施形態のカラーディスプレイ３０を示している。図７に示すように、カラーディスプレイ３０は、マトリクス状に配置されている複数の画素群３１，３２を備えている。画素群３１，３２のそれぞれには、第１カラー画素と第２カラー画素と第３カラー画素が含まれる。例えば第１画素群３１には、緑色を表示する第１カラー画素（緑色画素）と、赤色を表示する第２カラー画素（赤色画素）と、青色を表示する第３カラー画素（青色画素）を備えている。緑色画素は、第１緑色小画素３１１と第２緑色小画素３１２を備えており、赤色画素は第３赤色小画素３１３と第４赤色小画素３１４を備えており、青色画素は第５青色小画素３１５と第６青色小画素３１６を備えている。
第１画素群３１や第２画素群３２において、複数の小画素は２行３列のマトリクス状に配置されていることが好ましい。加えて、第１画素群３１と第２画素群３２の小画素は、次の規則に従って配置されていることが好ましい。即ち、第１緑色小画素と第２緑色小画素を第１列（図面縦方向を列とする）に配置し、第３赤色小画素と第５青色小画素を第２列に配置し、第４赤色小画素と第６青色小画素を第３列に配置する。
【００１５】
本実施形態のカラーディスプレイ３０では、第１画素群３１において、第１緑色小画素３１１と第２緑色小画素３１２は互いに隣接しており、第１画素群３１の第１列（図面縦方向を列とする）に配置されている。また、第３赤色小画素３１３と第５青色小画素３１５は互いに隣接しており、第１画素群３１の第２列に配置されている。また、第４赤色小画素３１４と第６青色小画素３１６は互いに隣接しており、第１画素群３１の第３列に配置されている。詳しくは、第１画素群３１の第１緑色小画素３１１は第１画素群３１の第１行第１列に配置されており、第１画素群３１の第２緑色小画素３１２は第１画素群３１の第２行第１列に配置されており、第１画素群３１の第３赤色小画素３１３は第１画素群３１の第１行第２列に配置されており、第１画素群３１の第５青色小画素３１５は第１画素群３１の第２行第２列に配置されており、第１画素群３１の第６青色小画素３１６は第１画素群３１の第１行第３列に配置されており、第１画素群３１の第４赤色小画素３１４は第１画素群３１の第２行第３列に配置されている。
【００１６】
一方、第２画素群３２における小画素の配置は、前記した規則に従うものであるが、第１画素群３１における小画素の配置とは異なっている。第２画素群３２では、第１画素群３１と同様に、第１緑色小画素３２１と第２緑色小画素３２２が第１列に配置されており、第３赤色小画素３２３と第５青色小画素３２５が第２列に配置されており、第４赤色小画素３２４と第６青色小画素３２６が第３列に配置されている。ただし、第２列では、第１画素群３１と比較して、第３赤色小画素３２３と第５青色小画素３２５の位置が反転されている。また、第３列でも、第１画素群３１と比較して、第４赤色小画素３２４と第６青色小画素３２６の位置が反転されている。詳しくは、第２画素群３２の第１緑色小画素３２１は第２画素群３２の第１行第１列に配置されており、第２画素群３２の第２緑色小画素３２２は第２画素群３２の第２行第１列に配置されており、第２画素群３２の第３赤色小画素３２３は第２画素群３２の第２行第２列に配置されており、第２画素群３２の第５青色小画素３２５は第２画素群３２の第１行第２列に配置されており、第２画素群３２の第４赤色小画素３２４は第２画素群３２の第１行第３列に配置されており、第２画素群３２の第６青色小画素３２６は第２画素群３２の第２行第３列に配置されている。
【００１７】
図８を参照されたい。図８は、それぞれの小画素が、明表示信号と暗表示信号のいずれによって駆動されるのかを示す図である。図８では、暗表示信号によって駆動される小画素に、ハッチングが施されている。第１画素群３１と第２画素群３２の小画素を駆動する表示信号について以下に説明する。
第１画素群３１の第１緑色小画素３１１は、第１緑色暗表示信号Ｌ（Ｇ１）によって駆動される。第１画素群３１の第２緑色小画素３１２は、第１緑色明表示信号Ｈ（Ｇ１）によって駆動される。第１緑色小画素３１１と第２の緑色小画素３１２の両者によって、第１画素群３１への緑色表示信号Ｇ１に対応する表示（グレースケール値）がなされる。第１画素群３１の第３赤色小画素３１３と第４赤色小画素３１４は、共通の第１赤色表示信号Ｒ１によって駆動される。赤色に起因して生じるカラー歪は軽微なことから、赤色小画素３１３，３１４の駆動に明表示信号や暗表示信号は使用しない。第３赤色小画素３１３と第４赤色小画素３１４の両者によって、第１画素群３１への赤色表示信号Ｒ１に対応する表示（グレースケール値）がなされる。第１画素群３１の第５青色小画素３１５は、第１青色明表示信号Ｈ（Ｂ１）によって駆動される。第１画素群３１の第６青色小画素３１６は、第１青色暗表示信号Ｌ（Ｂ１）によって駆動される。第５青色小画素３１５と第６青色小画素３１６の両者によって、第１画素群３１への青色表示信号Ｂ１に対応する表示（グレースケール値）なされる。
【００１８】
第２画素群３２の第１緑色小画素３２１は、第２緑色明表示信号Ｈ（Ｇ２）によって駆動される。第２画素群３２の第２緑色小画素３２２は、第２緑色暗表示信号Ｌ（Ｇ２）によって駆動される。第１緑色小画素３２１と第２緑色小画素３２２の両者によって、第２画素群３２への緑色表示信号Ｇ２に対応する表示がなされる。第２画素群３２の第３赤色小画素３２３と第４赤色小画素３２４は、共通の第２赤色表示信号Ｒ２によって駆動される。赤色に起因して生じるカラー歪は軽微なことから、赤色小画素３２３，３２４の駆動に明表示信号や暗表示信号は使用しない。第３赤色小画素３２３と第４赤色小画素３２４の両者によって、第２画素群３２への第２赤色表示信号に対応する表示がなされる。第２画素群３２の第５青色小画素３２５は、第２青色明表示信号Ｈ（Ｂ２）によって駆動される。第２画素群３２の第６青色小画素３２６は、第２青色暗表示信号Ｌ（Ｂ２）によって駆動される。第５青色小画素３２５と第６青色小画素３２６の両者によって、第２画素群３２への青色表示信号Ｂ２に対応する表示がなされる。
図８に示すように、ハッチングが付された小画素は暗表示信号により駆動される。暗表示信号によって駆動される小画素は、画素群の全体に均一に分散されており、図２を示して説明した輝度が不均一となる従来の問題が抑制される。同時に、明表示信号と暗表示信号の両者によって駆動することで、カラー歪と視野角が改善される効果が維持されている。
【００１９】
（第１の駆動方式）
次に、カラーディスプレイ３０を駆動するための第１の駆動方式について説明する。図１９を参照されたい。図１９に示すように、明表示信号と暗表示信号は、参照テーブル８０により得られる。参照テーブル８０は、表示信号群８１と、明表示信号群８２と、暗表示信号群８３を記述している。詳しくは、表示信号群８１が記述する表示信号（グレースケール値）Ｘ１、Ｘ２、・・に対応して、明表示信号群８２は明表示信号Ｙ１、Ｙ２、・・を記述しており、暗表示信号群８３は暗表示信号Ｚ１、Ｚ２、・・を記述している。なお、明表示信号群８２を明表示信号参照テーブル８２といい、暗表示信号群８３を暗表示信号参照テーブル８３ということがある。
【００２０】
第１の駆動方式では、指示された表示信号Ｘ１、Ｘ２、・・に基づいて、明表示信号参照テーブル８２から明表示信号Ｙ１、Ｙ２、・・を決定し、暗表示信号参照テーブル８３から暗表示信号Ｚ１、Ｚ２、・・を決定する。第１の駆動方式では、各小画素に出力される明表示出力信号および暗表示出力信号は、明表示信号参照テーブル８２および暗表示信号参照テーブル８３に記述されている信号値に等しい。参照テーブル８０は、カラー毎に用意されている（ここでは赤色を除く）。例えば、第１画素群３１の緑色画素を駆動する場合、第１画素群３１への第１緑色指示信号Ｇ１に基づいて、緑色明表示信号８２群から第１緑色明表示信号Ｈ（Ｇ１）を決定するとともに、緑色暗表示信号８３群から第１緑色暗表示信号Ｌ（Ｇ１）を決定する。そして、決定した緑色明表示信号Ｈ（Ｇ１）によって第２緑色小画素３１２を駆動し、決定した緑色暗表示信号Ｌ（Ｇ１）によって第１緑色小画素３１１を駆動する。双方の緑色小画素３１１，３１２によって、第１画素群３１では第１緑色指示信号Ｇ１に対応する緑色表示（グレースケール値）がなされる。
【００２１】
本明細書にて利用する技術用語について説明する。
１．  指示信号：ディスプレイの各画素に対する指示信号であり、図面中ではＨやＬを用いずに図示されている。例えば、図８に示すように、第１画素群３１の第３赤色小画素３１３と第４赤色小画素３１４は共に第１赤色指示信号により駆動されることから、図中において赤色小画素３１３、３１４にＲ１が付されている。
２．  調整指示信号：特定の計算（例えば平均値計算）によって、指示信号を調整した信号である。
３．  暗表示信号：指示信号や調整指示信号に対応する暗表示用の信号であり、図面中ではＬを付して示している。例えば、図８に示すように、第１画素群３１の第１緑色小画素３１１は第１緑色暗表示信号Ｌ（Ｇ１）により駆動されることから、図中において第１緑色小画素３１１にＬ（Ｇ１）が付されている。
４．  明表示信号：明表示信号は指示信号や調整指示信号に対応する明表示用の信号であり、図面中ではＨを付して示している。例えば、図８に示すように、第１画素群３１の第２緑色小画素３１２は第１緑色明表示信号Ｌ（Ｈ１）によって駆動されることから、図中において第２緑色小画素３１２にＬ（Ｈ１）が付されている。
５．  暗表示信号参照値：指示信号や調整指示信号に対応して、参照テーブル８０の暗表示信号参照テーブル８３に記述されている信号値である。
６．  明表示信号参照値：指示信号や調整指示信号に対応して、参照テーブル８０の明表示信号参照テーブル８２に記述されている信号値である。
７．  暗表示出力信号：小画素へ出力する実際の暗表示信号である。暗表示出力信号は、暗表示信号参照テーブル８３に記述されている暗表示信号参照値Ｚ１、Ｚ２・・に直接等しいか、暗表示信号参照値Ｚ１、Ｚ２・・から計算して決定される。
８．  明表示出力信号：小画素へ出力する実際の明表示信号である。明表示出力信号は、明表示信号参照テーブル８２に記述されている明表示信号参照値Ｙ１、Ｙ２・・に直接等しいか、明表示信号参照値Ｙ１、Ｙ２・・から計算して決定される。
【００２２】
図２０を参照されたい。図２０は、本発明を実施する信号処理システム９０を示す図である。図２０に示すように、信号処理システム９０は、第１参照値決定部９１と、第２参照値決定部９２と、データ選択器９３と、タイミングコントローラ９４とを備えている。第１参照値決定部９１と第２参照値決定部９２には、参照テーブル８０が記憶されている。指示信号は、第１参照値決定部９１と第２参照値決定部９２へ入力される。第１参照値決定部９１は、入力した指示信号に基づいて、明表示信号を出力する。第２参照値決定部９２は、入力した指示信号に基づいて、暗表示信号を出力する。決定された明表示信号と暗表示信号はデータ選択器９３に入力される。データ選択器９３は、一方の表示信号を選択し、タイミングコントローラ９４へと出力する。タイミングコントローラ９４は、入力した信号をデータ駆動装置９６へと転送する。データ駆動装置９６は、入力した信号に基づいて走査駆動装置９７を動作させ、ディスプレイ９８に画像が表示できるようにする。
【００２３】
（第２の駆動方式）
次に、カラーディスプレイ３０を駆動するための第２の駆動方式について説明する。色を正しく表示するためには、出力信号（即ち、明表示出力信号と暗表示出力信号）を適切に決定することが重要である。しかしながら、物体を視認するときに人の目は明表示を注目中心として捉える傾向がある。そのことから、指示信号から決定する暗表示信号の強さを、近接する画素の表示に応じて変化させることが好ましい。そこで、第２の駆動方式では、暗表示用の小画素に出力する暗表示出力信号に、その小画素に隣接する同一色の小画素に対する指示信号に対応する暗表示信号の平均値を用いる。隣接する２以上の小画素への指示信号から定まる２以上の暗表示信号の平均を用いることによって、各画素群において各色の暗表示信号の重みの均衡をとることができ、暗表示信号を用いることによる本来の効果が得られるとともに、各色信号の位相遷移と画像のちらつき現象を低減させることができる。
【００２４】
第２の駆動方式では、明表示用の小画素に出力される明表示出力信号は、その小画素に対する指示信号に対応して明表示信号参照テーブル８２に記述されている明表示信号参照値となる。一方、暗表示用の小画素に出力される実際の暗表示出力信号は、その小画素に隣接する同一色の小画素に対する指示信号に対応して暗表示信号参照テーブル８３に記述されている暗表示信号参照値の平均値となる。
図９に示すように、例えば、第２画素群３２の第２緑色小画素３２２を例に挙げて説明する。第２画素群３２の第２緑色小画素３２２には、同じ緑色を表示する第２画素群３２の第１緑色小画素３２１と、第５画素群３５の第１緑色小画素３５５が隣接している。第２画素群３２の第１緑色小画素３２１は、第２緑色指示信号Ｇ２に基づいて駆動される。第５画素群３５の第１緑色小画素３５１は、第５緑色指示信号Ｇ５に基づいて駆動される。従って、第２画素群３２の第２緑色小画素３２２は、第２緑色指示信号Ｇ２に対応する緑色暗表示信号Ｌ（Ｇ２）と第５緑色指示信号Ｇ５に対応する緑色暗表示信号Ｌ（Ｇ５）との平均値（Ｌ（Ｇ２）＋Ｌ（Ｇ５））／２によって駆動される。即ち、第２画素群３２の第２緑色小画素３２２へ出力する第２緑色暗表示出力信号は、計算した平均値（Ｌ（Ｇ２）＋Ｌ（Ｇ５））／２となる。なお図９では、０．５Ｌ（Ｇ２）＋０．５Ｌ（Ｇ５）と記述されている。
【００２５】
次に、第２画素群３２の第５青色小画素３２６について説明する。第２画素群３２の第６青色小画素３２６には、同じ青色を表示する第２画素群３２の第５青色小画素３２５と、第５画素群３５の第５青色小画素３５５が隣接している。第２画素群３２の第５青色小画素３２５は、第２青色指示信号Ｂ２に基づいて駆動される。第５画素群３５の第５青色小画素３５５は、第５青色指示信号Ｂ５に基づいて駆動される。従って、第２画素群３２の第５青色小画素３２６は、第２青色指示信号Ｂ２に対応する青色暗表示信号Ｌ（Ｂ２）と第５青色指示信号Ｂ５に対応する青色暗表示信号Ｌ（Ｂ５）との平均値（Ｌ（Ｂ２）＋Ｌ（Ｂ５））／２によって駆動される。即ち、第２画素群３２の第２青色小画素３２６へ出力される第２青色暗表示出力信号は、（Ｌ（Ｂ２）＋Ｌ（Ｂ５））／２となる。なお図９では、０．５Ｌ（Ｂ２）＋０．５Ｌ（Ｂ５）と記述されている。
【００２６】
例えば第１緑色小画素３１１がフレーム端に配置されている場合、第１緑色小画素３１１への第１緑色表示出力信号は、以下の二つの方法によって決定することが好ましい。その一つの方法は、第１画素群３１の緑色指示信号Ｇ１に対応する緑色暗表示信号Ｌ（Ｇ１）を用いる。他の一つの方法は、第１画素群３１に隣接する第４画素群３４に対する緑色指示信号Ｇ４に対応する緑色暗表示信号Ｌ（Ｇ１）を用いる。同様にして、フレーム端に配置されている他の小画素への表示出力信号についても決定することができる。
第１の駆動方式とは対照的に、第２の駆動方式では、二つの暗表示信号参照値の平均によって、暗表示出力信号が決定される。即ち、小画素に出力する実際の暗表示出力信号は、参照テーブル８０に記述されている暗表示信号参照値とは異なることとなる。
【００２７】
（第３の駆動方式）
次に、カラーディスプレイ３０を駆動するための第３の駆動方式について説明する。第３の駆動方式では、各画素群の第１行に位置する小画素については、その小画素に対する指示信号に基づいて、参照テーブル８０から明表示出力信号あるいは暗表示出力信号を決定する。即ち、各画素群の第１行に位置する小画素については、指示信号に対応する明表示信号参照値あるいは暗表示信号参照値によって駆動される。
一方、各画素群の第２行に位置する小画素群については、その小画素に対する指示信号と、その小画素群に隣接する画素群の同一色に対する指示信号との平均値に基づいて、参照テーブル８０から明表示信号あるいは暗表示信号を決定する。即ち、各画素群の第２行に位置する小画素については、二つの指示信号を平均した調整指示信号を計算し、計算した調整指示信号に対応して参照テーブル８０に記載されている明表示信号参照値あるいは暗表示信号参照値によって駆動される。
【００２８】
図１０と図１９を参照しながら、第１画素群３１の第２緑色小画素３１２を例に挙げて、第２緑色小画素３１２へと出力される第１緑色明表示出力信号について説明する。第１画素群３１の第２緑色小画素３１２は、第１画素群３１の第２行に位置している。第１画素群３１の第２緑色小画素３１２に対する第１緑色指示信号はＧ１である。第１画素群３１の第２列に位置する小画素群は、第４画素群３４に隣接している。第４画素群に対する第４緑色指示信号はＧ４である。従って、第１画素群３１の第２緑色小画素３１２は、第１緑色指示信号Ｇ１と第４緑色指示信号Ｇ４を平均した調整指示信号（Ｇ１＋Ｇ４）／２に対応して参照テーブル８０の明表示信号参照テーブル８２に記述されている明表示信号参照値によって駆動される。即ち、第１画素群３１の第２緑色小画素３１２へ出力される第１緑色明表示出力信号は、Ｈ（（Ｇ１＋Ｇ４）／２）となる。なお図１０では、Ｈ（０．５Ｇ１＋０．５Ｇ４）と記述されている。
第２青色指示信号Ｂ２に対応する青色暗表示信号Ｌ（Ｂ２）と第５青色指示信号Ｂ５に対応する青色暗表示信号Ｌ（Ｂ５）との平均値（Ｌ（Ｂ２）＋Ｌ（Ｂ５））／２によって駆動される。同様に、他の画素群の第２行に位置する小画素への明表示出力信号あるいは暗表示出力信号についても、その小画素への指示信号とその小画素に隣接する画素群の同一色に対する指示信号とを平均した調整指示信号を計算し、調整指示信号に対応して参照テーブル８０に記述されている明表示出力信号参照値あるいは暗表示出力信号参照値が用いられる。
この第３の駆動方式によると、指示信号の段階で平均値の計算処理を行い、計算した指示信号の平均値に基づいて、明表示信号や暗表示信号を決定する。そのことから、第２の駆動方式に比して計算処理が簡単化され、より多数の表示信号を処理することが可能となる。
【００２９】
（第４の駆動方式）
次に、カラーディスプレイ３０を駆動するための第４の駆動方式について説明する。第４の駆動方式は、実質的に、前述した第２の駆動方式と第３の駆動方式を組み合わせたものである。即ち、暗表示出力信号は、第２の駆動方式に則して決定される。さらに、各画素群の第２行に位置する小画素への表示出力信号は、第３の駆動方式に則して決定される。詳しくは、先ず第３の駆動方式に則して、第２行に位置する小画素の表示出力信号を決定するための調整指示信号を計算する。さらに、第２の駆動方式に則して、暗表示用の小画素への暗表示出力信号は、その小画素に隣接する同一色の小画素に対する指示信号に対応して暗表示信号参照テーブル８３に記述されている暗表示信号参照値の平均値が用いられる。
【００３０】
図１１に示すように、第４の駆動方式では、例えば第２画素群３２内の第２緑色小画素３２２の駆動に用いる緑色暗表示出力信号は、第２の駆動方式の場合と等価となる。なぜなら、第２緑色小画素３２２に隣接する同一色の小画素３２１、３５１が各画素群３２、３５の第１行に位置しており、調整指示信号を計算する対象にならないためである。同様に、例えば第２画素群３２内の第２青色小画素３２６の駆動に用いる青色暗表示出力信号についても、隣接する同一色の小画素３２５、３５５が各画素群３２、３５の第１行に位置しているので、第２の駆動方式と等価となる。
【００３１】
第１画素群３１の第２緑色小画素３１２は、第１画素群３１の第２行に位置することから、調整指示信号（Ｇ１＋Ｇ４）／２に基づいて駆動される。詳しくは、調整指示信号（Ｇ１＋Ｇ４）／２に対応して参照テーブル８０に記述されている緑色明表示信号Ｈ（（Ｇ１＋Ｇ４）／２）によって駆動される。
同様に、第４画素群３４の第２緑色小画素３４２は、第４画素群の第２行に位置することから、調整指示信号（Ｇ４＋Ｇ７）／２に基づいて駆動される。詳しくは、調整指示信号（Ｇ４＋Ｇ７）／２に対応して参照テーブル８０に記述されている緑色明表示信号Ｈ（（Ｇ４＋Ｇ７）／２）によって駆動される。
そして、第４画素群３４の第１緑色小画素３４１に対する緑色暗表示出力信号は、隣接する緑色小画素３１２に対する調整指示信号（Ｇ１＋Ｇ４）／２に対応する緑色暗表示信号参照値Ｌ（（Ｇ１＋Ｇ４）／２）と、隣接する緑色小画素３４２に対する調整指示信号（Ｇ４＋Ｇ７）／２に対応する緑色暗表示信号参照値Ｌ（（Ｇ４＋Ｇ７）／２）との平均値となる。即ち、第４画素群３４の第１緑色小画素３４１に対する緑色暗表示出力信号は、（Ｌ（（Ｇ１＋Ｇ４）／２）＋Ｌ（（Ｇ４＋Ｇ７）／２））／２となる。なお図１１では、０．５Ｌ（０．５Ｇ１＋０．５Ｇ４）＋０．５Ｌ（０．５Ｇ４＋０．５Ｇ７）と記述されている。
【００３２】
（第５の駆動方式）
次に、カラーディスプレイ３０を駆動するための第５の駆動方式について説明する。第５の駆動方式は、実質的に、第３の駆動方式の適用範囲を拡大するものである。詳しくは、第３の駆動方式に加えて、各画素群の第３列に位置する小画素の駆動にも、調整指示信号を用いるものである。即ち、各画素群の第３列に位置する小画素については、その小画素に対する指示信号と、その小画素群に隣接する画素群の同一色に対する指示信号との平均値に基づいて、参照テーブル８０から明表示信号あるいは暗表示信号を決定する。
【００３３】
図１２に示すように、第１画素群３１の第６青色小画素３１６は、第１画素群３１の第１行第３列に位置しているので、調整指示信号に基づいて駆動される。詳しくは、先ず、第６青色小画素３１６への指示信号Ｂ１と、第１画素群３１の第３列に隣接している第２画素群３２への青色に関する指示信号Ｂ２とを平均した調整指示信号（Ｂ１＋Ｂ２）／２が計算される。次いで、調整指示信号（Ｂ１＋Ｂ２）／２に対応して参照テーブル８０に記述されている青色暗表示信号参照値Ｌ（（Ｂ１＋Ｂ２）／２）が特定される。そして、第１画素群３１の第６青色小画素３１６を、特定した青色暗表示信号参照値Ｌ（（Ｂ１＋Ｂ２）／２）によって駆動する。なお図１２では、Ｌ（０．５Ｂ１＋０．５Ｂ２）と記述されている。
第１画素群３１の第４赤色小画素３１４は、第１画素群３１の第２行第３列に位置しているとともに、第２画素群３２と第４画素群３４と第５画素群３５に隣接している。従って、第４赤色小画素３１４に対する赤色表示出力信号には、第１画素群３１に対する赤色指示信号Ｒ１と、第２画素群３２に対する赤色指示信号Ｒ２と、第４画素群３４に対する赤色指示信号Ｒ４と、第５画素群３５に対する赤色指示信号Ｒ５とを平均した調整指示信号（Ｒ１＋Ｒ２＋Ｒ４＋Ｒ５）／４が用いられる。なお図１２では、０．２５（Ｒ１＋Ｒ２＋Ｒ４＋Ｒ５）と記述されている。
【００３４】
同様に、第２画素群３２の第６青色小画素３２６は、第２画素群３２の第２行第３列に位置しているとともに、第３画素群３３と第５画素群３５と第６画素群３６に隣接している。従って、第６青色小画素３２６に対する青色暗表示出力信号は、以下の手順で決定される。先ず、第２画素群３２に対する青色指示信号Ｂ２と、第３画素群３３に対する青色指示信号Ｂ３と、第５画素群３５に対する青色指示信号Ｂ５と、第６画素群３６に対する青色指示信号Ｂ６とを平均した調整指示信号（Ｂ２＋Ｂ３＋Ｂ５＋Ｂ６）／４が計算される。次いで、調整指示信号（Ｂ２＋Ｂ３＋Ｂ５＋Ｂ６）／４に対応して参照テーブル８０に記述されている青色暗表示信号参照値Ｌ（Ｂ２＋Ｂ３＋Ｂ５＋Ｂ６）／４）が特定される。第６青色小画素３２６に対する青色暗表示出力信号は、Ｌ（Ｂ２＋Ｂ３＋Ｂ５＋Ｂ６）／４）と決定される。なお図１２では、Ｌ（０．２５Ｂ２＋０．２５Ｂ３＋０．２５Ｂ５＋０．２５Ｂ６）と記述されている。このように、第５の駆動方式では、画素群の第２行に位置する小画素と第１行第３列に位置する小画素について、指示信号を平均した調整指示信号が用いられる。
【００３５】
（第６の駆動方式）
次に、カラーディスプレイ３０を駆動するための第６の駆動方式について説明する。第６の駆動方式では、実質的に、第２の駆動方式と第５の駆動方式とを組み合わせたものである。図１３に示すように、第２画素群３２を例に挙げると、第２緑色小画素３２２への緑色暗表示出力信号は、隣接する緑色小画素３２１，３５１が第５駆動方式において調整指示信号を用いる対象画素とならないことから、第２の駆動方式や第４の駆動方式と等価となる。同様に、第６青色小画素への青色暗表示出力信号についても、隣接する青色小画素３２５、３５５が第５駆動方式において調整指示信号を用いる対象画素とならないことから、第２の駆動方式や第４の駆動方式と等価となる。
【００３６】
一方、図１３に示すように、第４画素群３４の第１緑色小画素３４１への緑色暗表示出力信号は、第４の駆動方式のときと同様に、先ず第５の駆動方式に則して調整指示信号が計算され、次いで第２の駆動方式に則して暗表示信号参照値の平均値が計算される。即ち、隣接する第１画素群３１の第２緑色小画素３１２への調整指示信号（Ｇ１＋Ｇ４）／２を計算し、隣接する第４画素群３４の第２緑色小画素３４２への調整指示信号（Ｇ４＋Ｇ７）／２を計算し、調整指示信号（Ｇ１＋Ｇ４）／２に対応する緑色暗表示信号参照値Ｌ（（Ｇ１＋Ｇ４）／２）と調整指示信号（Ｇ４＋Ｇ７）／２に対応する緑色暗表示信号参照値Ｌ（（Ｇ４＋Ｇ７）／２）とを参照テーブル８０から特定し、それらの平均値（Ｌ（（Ｇ４＋Ｇ７）／２）＋Ｌ（（Ｇ４＋Ｇ７）／２））／２を計算する。なお図１３では、０．５Ｌ（０．５Ｇ１＋０．５Ｇ４）＋０．５Ｌ（０．５Ｇ４＋０．５Ｇ７）と記述されている。
【００３７】
（第７の駆動方式）
次に、カラーディスプレイ３０を駆動するための第７の駆動方式について説明する。第７の駆動方式は、実質的に、第５の駆動方式の適用範囲を拡大するものである。詳しくは、第５の駆動方式に加えて、各画素群の第１行第２列に位置する小画素の駆動にも、調整指示信号を用いるものである。ここではさらに、調整指示信号を計算する際に、その画素と非処理小画素（指示信号をそのまま用いる画素、即ち、第１行第１列の画素）との間の距離に従って異なる重み係数を用いる。
第１行第２列の小画素に対しては、同一画素群の第１行第１列の非処理画素が近接しているので、同一画素群に対する指示信号に乗ずる重み係数を０．７５と定めることができる。一方、隣接する画素群の第１行第１列の非処理画素は、同一画素群のそれよりも離れているので、重み係数を０．２５と定めることができる。
図１４に示すように、第１画素群３１の第１行第２列の第３赤色小画素３１３への赤色出力信号は、例えば、第１画素群３１への赤色指示信号Ｒ１に重み係数０．７５を乗じた指標と、第１画素群３１に隣接する第２画素群３２への赤色指示信号Ｒ２に重み係数０．２５を乗じた指標との和を計算することで得ることができる。即ち、第１画素群３１の第３赤色小画素３１３への赤色出力信号は、０．７５Ｒ１＋０．２５Ｒ２と定めることができる。
【００３８】
一方、第１行第３列の小画素に対しては、隣接する画素群の第１行第１列の非処理画素が近接しているので、隣接画素群に対する指示信号に乗ずる重み係数を０．７５と定めることができる。一方、同一画素群の第１行第１列の非処理画素は、隣接画素群のそれよりも離れているので、重み係数を０．２５と定めることができる。
例えば、第１画素群３１の第１行第３列の第６青色小画素３１６への青色暗表示出力信号は、例えば、第１画素群３１への青色指示信号Ｂ１に重み係数０．２５を乗じた指標と、第１画素群３１に隣接する第２画素群３２への青色指示信号Ｂ２に重み係数０．７５を乗じた指標との和を計算して調整指示信号０．２５Ｂ１＋０．７５Ｂ２を計算し、計算した調整指示信号０．２５Ｂ１＋０．７５Ｂ２に対応する青色暗表示信号参照値Ｌ（０．２５Ｂ１＋０．７５Ｂ２）を参照テーブル８０から特定することで得ることができる。
【００３９】
また、第２行第１列の小画素に対しては、同一画素群の第１行第１列の非処理画素までの距離と、隣接する画素群の第１行第１列の非処理画素での距離が等しいことから、同一画素群に対する指示信号に乗ずる重み係数を０．５とするとともに隣接画素群に対する指示信号に乗ずる重み係数を０．５と定めることができる。
【００４０】
また、第２行第２列の小画素に対しては、同一画素群の第１行第１列の非処理画素と、行方向（行が並ぶ方向）の一方側に隣接する画素群の第１行第１列の非処理画素が等しく隣接している。また、それらに次いで、列方向（列が並ぶ方向）の一方側に隣接する画素群の第１行第１列の非処理画素と、列方向の一方側であって行方向の一方側である斜め方向に隣接する画素群の第１行第１列の非処理画素が等しく隣接している。従って、この場合、同一画素群に対する指示信号に乗ずる重み係数を０．３８とし、行方向の一方側に隣接する画素群に対する指示信号に乗ずる重み係数を０．３８とし、列方向の一方側に隣接する画素群に対する指示信号に乗ずる重み係数を０．１２とし、列方向の一方側であって行方向の一方側である斜め方向に隣接する画素群に対する指示信号に乗ずる重み係数を０．１２とすることができる。
例えば、第１画素群３１の第２行第２列の第５青色小画素３１５への青色明表示出力信号は、第１画素群３１への青色指示信号Ｂ１に重み係数０．３８を乗じた指標と、第１画素群３１に対して行方向下方に隣接する第４画素群３４への青色指示信号Ｂ４に重み係数０．３８を乗じた指標と、第１画素群３１に対して列方向右方に隣接する第２画素群３２への青色指示信号Ｂ２に重み係数０．１２を乗じた指標と、第１画素群３１に対して列方向右方であって行方向下方である斜め方向に隣接する第５画素群３５への青色指示信号Ｂ５に重み係数０．１２を乗じた指標との和を計算して調整指示信号０．３８Ｂ１＋０．３８Ｂ４＋０．１２Ｂ２＋０．１２Ｂ５を計算し、計算した調整指示信号０．３８Ｂ１＋０．３８Ｂ４＋０．１２Ｂ２＋０．１２Ｂ５に対応する青色明表示信号参照値Ｈ（０．３８Ｂ１＋０．３８Ｂ４＋０．１２Ｂ２＋０．１２Ｂ５）を参照テーブル８０から特定することで得ることができる。
【００４１】
また、第２行第３列の小画素に対しては、列方向の一方側に隣接する画素群の第１行第１列の非処理画素と、列方向の一方側であって行方向の一方側である斜め方向に隣接する画素群の第１行第１列の非処理画素が等しく隣接している。また、それらに次いで、同一画素群の第１行第１列の非処理画素と、行方向の一方側に隣接する画素群の第１行第１列の非処理画素が等しく隣接している。従って、この場合、列方向の一方側に隣接する画素群に対する指示信号に乗ずる重み係数を０．３８とし、列方向の一方側であって行方向の一方側である斜め方向に隣接する画素群に対する指示信号に乗ずる重み係数を０．３８とし、同一画素群に対する指示信号に乗ずる重み係数を０．１２とし、行方向の一方側に隣接する画素群に対する指示信号に乗ずる重み係数を０．１２とすることができる。
例えば、第１画素群３１の第２行第３列の第４赤色小画素３１４への赤色表示出力信号は、第１画素群３１に対して列方向右方に隣接する第２画素群３２への赤色指示信号Ｒ２に重み係数０．３８を乗じた指標と、第１画素群３１に対して列方向右方であって行方向下方である斜め方向に隣接する第５画素群３５への赤色指示信号Ｒ５に重み係数０．３８を乗じた指標と、第１画素群３１への赤色指示信号Ｒ１に重み係数０．１２を乗じた指標と、第１画素群３１に対して行方向下方に隣接する第４画素群３４への赤色指示信号Ｒ４に重み係数０．１２を乗じた指標との和を計算して調整指示信号０．１２Ｒ１＋０．１２Ｒ４＋０．３８Ｒ２＋０．３８Ｒ５を計算することで得ることができる。
【００４２】
（第８の駆動方式）
次に、カラーディスプレイ３０を駆動するための第８の駆動方式について説明する。第８の駆動方式は、実質的に、第２の駆動方式と第７の駆動方式を組み合わせたものである。即ち、第７の駆動方式に則して各画素群の第２行と第１行第３列と第１行第２列に位置する小画素について重み係数を用いた調整指示信号を計算するとともに、暗表示用の小画素については第２の駆動方式に則して隣接する同一色の小画素に対する表示信号に対応する暗表示信号参照値の平均値を用いて駆動する。ここで、例えば、第２画素群３２の緑色小画素３２２については、隣接する緑色の小画素３２１、３２５が第７の駆動方式における非処理画素（調整指示信号が計算されない）であることから、第２の駆動方式のときと同じ表示出力信号によって駆動される。
【００４３】
図１５に示すように、第２画素群３２の第５青色小画素３２５への青色明表示出力信号は、第７の駆動方式に則して、Ｈ（０．７５Ｂ２＋０．２５Ｂ３）と定められる。同様に、第５画素群３５の第５青色小画素３５５への青色明表示出力信号は、第７の駆動方式に則して、Ｈ（０．７５Ｂ５＋０．２５Ｂ６）と定められる。
従って、第２画素群３２の第６青色小画素３２６の青色暗表示出力信号は、隣接する青色小画素３２５への調整指示信号０．７５Ｂ２＋０．２５Ｂ３に対応する暗表示信号参照値Ｌ（０．７５Ｂ２＋０．２５Ｂ３）と、隣接する青色小画素３５５への調整指示信号０．７５Ｂ５＋０．２５Ｂ６に対応する暗表示信号参照値Ｌ（０．７５Ｂ５＋０．２５Ｂ６）との平均値０．５（Ｌ（０．７５Ｂ２＋０．２５Ｂ３）＋Ｌ（０．７５Ｂ５＋０．２５Ｂ６））となる。
【００４４】
（第２実施形態）
図１６を参照されたい。図１６、本発明の第２の実施形態のカラーディスプレイ５０を示している。図１６に示すように、カラーディスプレイ５０は、マトリクス状に配置されている複数の画素群５１，５２を備えている。画素群５１，５２のそれぞれには、第１カラー画素と第２カラー画素と第３カラー画素が含まれる。例えば第１画素群５１には、緑色を表示する第１カラー画素（緑色画素）と、赤色を表示する第２カラー画素（赤色画素）と、青色を表示する第３カラー画素（青色画素）を備えている。緑色画素は、第１緑色小画素５１１と第２緑色小画素５１２を備えており、赤色画素は第３赤色小画素５１３と第４赤色小画素５１４を備えており、青色画素は第５青色小画素５１５と第６青色小画素５１６を備えている。
第１画素群５１や第２画素群５２の各画素群では、６つの小画素が２行３列のマトリクス状に配置されている。また、各画素群では、第１小画素と第３小画素が第１列に配置されており、第２小画素と第５小画素が第２列に配置されており、第４小画素と第６小画素が第３列に配置されている。
【００４５】
図１６に示すように、例えば、第１画素群５１では、第１緑色小画素５１１と第３赤色小画素５１３が、互いに隣接して第１列に配置されている。また、第２緑色小画素５１２と第５青色小画素５１５が、互いに隣接して第２列に配置されている。また、第４赤色小画素５１４と第６青色小画素５１６が、互いに隣接させて第１の画素群５１の第３列に配置されている。詳しくは、第１画素群５１の第１緑色小画素５１１は第１画素群５１の第１行第１列に配置されており、第１画素群５１の第３赤色小画素５１３は第１画素群５１の第２行第１列に配置されており、第１画素群５１の第２緑色小画素５１２は第１画素群５１の第１行第２列に配置されており、第１画素群５１の第５青色小画素５１５は第１画素群５１の第２行第２列に配置されており、第１画素群５１の第６青色小画素５１６は第１画素群５１の第１行第３列に配置されており、第１画素群５１の第４赤色小画素５１４は第１画素群５１の第１行第３列に配置されている。
【００４６】
一方、第２画素群５２における小画素の配置は、前記した規則に従うものであるが、第１画素群５１における小画素の配置とは異なっている。具体的には、第１行と第２行が反転された配置となっている。第２画素群５２の第１行の小画素配置は第１画素群５１の第２行小画素配置と同一であり、第２画素群５２の第２行の小画素配置は第１画素群５１の第１行の小画素配置と同一である。詳しくは、第２画素群５２の第１緑色小画素５２１は第２画素群５２の第２行第１列に配置されており、第２画素群５２の第３赤色小画素５２３は第２画素群５２の第１行第１列に配置されており、第２画素群５２の第２緑色小画素５２２は第２画素群５２の第２行第２列に配置されており、第２画素群５２の第５青色小画素５２５は第２画素群５２の第１行第２列に配置されており、第２画素群５２の第６青色小画素５２６は第２画素群５２の第２行第３列に配置されており、第２画素群５２の第４赤色小画素５２４は第２画素群５２の第１行第３列に配置されている。
【００４７】
図１７を参照されたい。図１７は、それぞれの小画素が、明表示信号と暗表示信号のいずれによって駆動されるのかを示す図である。図１７では、暗表示信号によって駆動される小画素に、ハッチングが施されている。
図１７に示すように、第１画素群５１の第１緑色小画素５１１は、第１緑色暗表示信号Ｌ（Ｇ１）によって駆動される。第１画素群５１の第２緑色小画素５１２は、第１緑色明表示信号Ｈ（Ｇ１）によって駆動される。第１緑色小画素５１１と第２緑色小画素５１２の両者によって、第１画素群５１への緑色表示信号Ｇ１に対応する表示（グレースケール値）がなされる。第１画素群５１の第３赤色小画素５１３と第４赤色小画素５１４は、共通の第１赤色表示信号Ｒ１によって駆動される。赤色に起因して生じるカラー歪は軽微なことから、赤色小画素５１３，５１４の駆動に明表示信号や暗表示信号は使用しない。第３赤色小画素５１３と第４赤色小画素５１４の両者によって、第１画素群５１への赤色表示信号Ｒ１に対応する表示（グレースケール値）がなされる。第１画素群５１の第５青色小画素５１５は、第１青色暗表示信号Ｌ（Ｂ１）によって駆動される。第１画素群５１の第６青色小画素５１６は、第１青色明表示信号Ｈ（Ｂ１）によって駆動される。第５青色小画素５１５と第６青色小画素５１６の両者によって、第１画素群５１への青色表示信号Ｂ１に対応する表示（グレースケール値）なされる。
【００４８】
第２画素群５２の第１緑色小画素５２１は、第２緑色暗表示信号Ｌ（Ｇ２）によって駆動される。第２画素群５２の第２緑色小画素５２２は、第２緑色明表示信号Ｈ（Ｇ２）によって駆動される。第１緑色小画素５２１と第２緑色小画素５２２の両者によって、第２画素群５２への緑色表示信号Ｇ２に対応する表示がなされる。第２画素群５２の第３赤色小画素５２３と第４赤色小画素５２４は、共通の第２赤色表示信号Ｒ２によって駆動される。第３赤色小画素５２３と第４赤色小画素５２４の両者によって、第２画素群５２への第２赤色表示信号に対応する表示がなされる。第２画素群５２の第５青色小画素５２５は、第２青色暗表示信号Ｌ（Ｂ２）によって駆動される。第２画素群５２の第６青色小画素５２６は、第２青色暗表示信号Ｈ（Ｂ２）によって駆動される。第５青色小画素５２５と第６青色小画素５２６の両者によって、第２画素群５２への青色表示信号Ｂ２に対応する表示がなされる。
【００４９】
図１７に示すように、ハッチングが付された小画素は暗表示信号により駆動される。暗表示信号によって駆動される小画素は、画素群の全体に均一に分散されており、図２を示して説明した輝度が不均一となる従来の問題が抑制される。同時に、明表示信号と暗表示信号の両者によって駆動することで、カラー歪と視野角が改善される。
【００５０】
図１８を参照されたい。図１８は、カラーディスプレイ５０の小画素を明表示信号と暗表示信号を用いて駆動する際の別例を示す図である。図１８では、暗表示信号によって駆動される小画素に、ハッチングが施されている。図１８に示す別例では、第１画素群５１の第１緑色小画素５１１は、第１緑色暗表示信号Ｌ（Ｇ１）によって駆動される。第１画素群５１の第２緑色小画素５１２は、第１緑色明表示信号Ｈ（Ｇ１）によって駆動される。第１画素群５１の第３赤色小画素５１３と第４赤色小画素５１４は、共通の赤色表示信号Ｒ１によって駆動される。第１画素群５１の第５青色小画素５１５は、第１青色明表示信号Ｈ（Ｂ１）によって駆動される。第１画素群５１の第６青色小画素５１６は、第１青色暗表示信号Ｌ（Ｂ１）によって駆動される。第５の青色小画素５１５と第６の青色小画素５１６を合成して第１の画素群５１の青色（Ｂ１）を形成する。
また、第２画素群５２の第１緑色小画素５２１は、第２緑色暗表示信号Ｌ（Ｇ２）によって駆動される。第２画素群の第２緑色小画素５２２は、第２緑色明表示信号Ｈ（Ｇ２）によって駆動される。第２画素群５２の第３赤色小画素５２３と第４赤色小画素５２４は、共通の赤色表示信号Ｒ２によって駆動される。第２画素群５２の第５青色小画素５２５は、第２青色明表示信号Ｈ（Ｂ２）によって駆動される。第２画素群５２の第６青色小画素５２６は、第２青色暗表示信号Ｌ（Ｂ２）によって駆動される。
【００５１】
図１８に示すように、ハッチングが付された小画素は暗表示信号により駆動される。暗表示信号によって駆動される小画素は、画素群の全体に均一に分散されており、図２を示して説明した輝度が不均一となる従来の問題が抑制される。同時に、明表示信号と暗表示信号の両者によって駆動することで、カラー歪と視野角が改善される効果が維持されている。
【００５２】
第２実施形態のカラーディスプレイ５０では、図１７と図１８に示した二つの明表示画素及び暗表示画素において、前述した第１実施形態のカラーディスプレイ３０の８種類の駆動方式を採用することもできる。
第１の駆動方式を採用する場合、小画素に出力される明表示出力信号は、参照テーブル８０から得られる明表示信号参照値と等しくなる。また、小画素に出力される暗表示出力信号も、参照テーブル８０から得られる暗表示信号参照値と等しくなる。
第２の駆動方式を採用する場合、小画素に出力される明表示出力信号は、参照テーブル８０から得られる明表示信号参照値と等しくなる。一方、小画素に出力される暗表示出力信号は、その小画素に隣接する同一色の小画素に対する指示信号に対応する暗表示信号参照値の平均値を用いる。しかしながら、暗表示用の緑色小画素については、隣接する緑色小画素が一つしかないため、平均値が計算されない。ここでは、暗表示用の青色小画素についてのみ、第２の駆動方式が採用される。
【００５３】
第３の駆動方式を採用する場合、第１実施形態のときと同様に、調整指示信号が計算される。即ち、各画素群の第２行に位置する小画素への明表示出力信号又は暗表示信号は、その小画素に対する指示信号と、その小画素群に隣接する画素群の同一色に対する指示信号とを平均した調整指示信号を計算し、調整指示信号に対応して参照テーブル８０に記述されている明表示信号参照値又は暗表示信号参照値によって得られる。
第４の駆動方式を採用する場合、第２の駆動方式と第３の駆動方式との組み合わせであることから、第３の駆動方式に則して調整指示信号を計算するとともに、第２の駆動方式に則して暗表示出力信号を調整することとなる。
第５の駆動方式を採用する場合、前記した第３の駆動方式の適用を拡大するものであることから、各画素群の第２行に位置する小画素に加えて、第１行第３列に位置する小画素についても、調整指示信号の計算を行うこととなる。
第６の駆動方式を採用する場合、第２の駆動方式と第５の駆動方式との組み合わせであることから、第５の駆動方式に則して調整指示信号を計算するとともに、第２の駆動方式に則して暗表示出力信号を調整することとなる。
【００５４】
第７の駆動方式を採用する場合、前記した第５の駆動方式の適用を拡大するものであることから、各画素群の第２行に位置する小画素および第１行第３列に位置する小画素に加えて、第１行第２列に位置する小画素についても、調整指示信号の計算を行うこととなる。
第８の駆動方式を採用する場合、第２の駆動方式と第７の駆動方式との組み合わせであることから、第７の駆動方式に則して調整指示信号を計算するとともに、第２の駆動方式に則して暗表示出力信号を調整することとなる。
【００５５】
上記した８つの駆動方式を第１実施形態のカラーディスプレイ３０に採用する場合と、上記した８つの駆動方式を第２実施形態のカラーディスプレイ５０に採用する場合との違いは、小画素の異なる配置や小画素の明表示信号又は暗表示信号の異なる配置にある。加えて、第２の実施形態では、緑色暗表示信号により駆動する緑色小画素が複数の緑色小画素に隣接していないことから、第２の駆動方式が青色小画素のみに適用できる点が異なっている。
【００５６】
上記した小画素の配置を採用し、上記した駆動方式を採用することによって、小画素への明表示出力信号や暗表示出力信号を円滑に均衡させることができ、突発的な色変化を抑止することができ、円滑な画像を表示することが可能となる。
【００５７】
画素群の配置は、第１実施形態や第２実施形態に説明したものに限定されない。例えば図７に示した第１実施形態において、第１画素群３１の区画を右方へ１列移動させ、新たな第１画素群を、旧第１画素群３１の第３赤色小画素３１３と第４赤色小画素３１４と第５青色小画素３１５第６の赤色小画素３１６および旧第２画素群３２の第１緑色小画素３２１と第２緑色小画素３２２を含むように構成してもよい。
あるいは、第１画素群３１の区画を右方へ２列移動させ、新たな第１画素群を、旧第１画素群３１の第４赤色小画素３１４と第６赤色小画素３１６および旧第２画素群３２の第１緑色小画素３２１と第２緑色小画素３２２と第３赤色小画素３２３と第５青色小画素３１５を含むように構成してもよい。
あるいは、第１画素群３１の区画を１列下方へ移動させ、新たな第１画素群を、旧第１画素群３１の小画素の一部と旧第４小画素３４の小画素の一部を含むように構成することもできる。
【００５８】
本発明を実施するカラーディスプレイの特徴は、画素群には少なくとも３色のカラー画素が含まれ、各カラー画素が少なくとも２個の小画素を備えており、小画素の配置が画素群よって変化することにある。即ち、このカラーディスプレイには、複数の第１画素群と複数の第２画素群が含まれており、各第１画素群には３色のカラー画素が含まれており、各色の画素には少なくとも２個の小画素が含まれている。この小画素を、第１の配置方式に従い第１の画素群を形成する。また、各第２画素群には３色のカラー画素が含まれており、各色の画素には少なくとも２個の小画素が含まれている。この小画素を、第２の配置方式に従い配置して第２画素群を形成する。そして、第１画素群と第２画素群を、１軸（行方向あるいは列方向）に沿って交互に配置する。
【００５９】
第１画素群や第２画素群では、第１小画素と第２小画素が第１方向に隣接して配置されており、第３小画素と第５小画素が隣接して配置されており、第４小画素と第６小画素が隣接して配置されており、第１小画素と第２小画素のいずれか一方が第２方向に沿って第５小画素に隣接して配置されていることが好ましい。さらに、第１画素群では、第５小画素と第６小画素が第３方向に隣接して配置されており、第２画素群では第５小画素と第６小画素が第４方向に隣接して配置されていることがこのましい。ここで、第１方向と第２方向と第３方向と第４方向は互いに異なる方向である。
例えば図１６に示すように、第１画素群５１の第１小画素５１１と第２小画素５１２は水平方向に隣接配置されており、ここで第１方向は水平方向といえる。第２小画素５１２と第５小画素５１５は垂直方向に隣接配置されており、第２方向は垂直方向といえる。また、第２画素群５２の第１小画素５２１と第２小画素５２２は水平方向に隣接配置されており、第２小画素５２２と第５小画素５２５は垂直方向に隣接配置されている。加えて、第１画素群５１の第５小画素５１５と第６小画素５１６は第３方向である一方の対角方向に隣接配置されており、第２の画素群５２の第５小画素５２５と第６小画素５２６は第４方向である他方の対角方向に隣接して配置されている。
上記の配置において、第１のカラー画素の第１小画素は第１のカラー暗表示出力信号によって駆動し、第１のカラー画素の第２小画素は第１のカラー明表示出力信号によって駆動し、第２のカラー画素の第３小画素と第４小画素は第２のカラー出力信号によって駆動し、第３のカラー画素の第５小画素は第３のカラー明表示出力信号によって駆動し、第３のカラー画素の第６小画素は第３のカラー暗表示出力信号によって駆動する。それにより、暗表示信号によって駆動される小画素や、明表示信号によって駆動される小画素が、均一に分布することとなる。
【００６０】
加えて、第１画素群の小画素は第１の信号群によって駆動し、第２画素群の小画素は第２の信号群によって駆動する。ここで、第２の信号群は第１の信号群とは異なっている。第１の信号群と第２の信号群は、共に、少なくとも明表示信号と少なくとも暗表示信号を含み、ここで明表示信号群には異なるカラー画素に対応する複数の明表示信号が含まれており、暗表示信号群には異なる色に対応する複数の暗表示信号が含まれている。
明表示信号と暗表示信号は、対応色の複数の指示信号に基づいて選択され、選択された明表示信号と選択された暗表示信号は、合せて指示信号に対応する色を表示する信号となる。
【００６１】
好ましくは、対応画素の被選択明表示信号と被選択暗表示信号の正面視と側面視の間の正規化透過率差は、指示信号の正面視と側面視の間の正規化透過率差よりも小さい。加えて、被選択明表示信号と暗表示信号によりまたユーザは指示信号と等量の輝度を得ることができ、カラーディスプレイのカラー歪を改善することができる。
【００６２】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
本明細書または図面に説明した技術要素は、単独であるいは各種の組み合わせによって技術的有用性を発揮するものであり、出願時請求項記載の組み合わせに限定されるものではない。本明細書または図面に例示した技術は複数の目的を同時に達成するものであり、そのうちの一つの目的を達成すること自体で技術的有用性を持つものである。
【図面の簡単な説明】
【００６３】
【図１】従来技術によるカラーディスプレイの小画素を配置を示す図である。
【図２】従来技術による明表示信号と暗表示信号を用いてカラーディスプレイの小画素を駆動する様子を示す図である。
【図３】カラーディスプレイを視認するユーザの位置Ｑ（ψ，θ）の定義を示す図。
【図４】赤色光のグレースケール値と正規化透過率との関係を視認方向（ψ，θ）毎に示すグラフ。
【図５】緑色光のグレースケール値と正規化透過率との関係を視認方向（ψ，θ）毎に示すグラフ。
【図６】青色光のグレースケール値と正規化透過率との関係を視認方向（ψ，θ）毎に示すグラフ。
【図７】第１実施形態によるカラーディスプレイの小画素配置を示す図。
【図８】図７に示す小画素配置に対して第１の駆動方式を採用した場合に、各小画素に対して出力される表示信号を示す図。
【図９】図７に示す小画素配置に対して第２の駆動方式を採用した場合に、各小画素に対して出力される表示信号を示す図である。
【図１０】図７に示す小画素配置に対して第３の駆動方式を採用した場合に、各小画素に対して出力される表示信号を示す図である。
【図１１】図７に示す小画素配置に対して第４の駆動方式を採用した場合に、各小画素に対して出力される表示信号を示す図である。
【図１２】図７に示す小画素配置に対して第５の駆動方式を採用した場合に、各小画素に対して出力される表示信号を示す図である。
【図１３】図７に示す小画素配置に対して第６の駆動方式を採用した場合に、各小画素に対して出力される表示信号を示す図である。
【図１４】図７に示す小画素配置に対して第７の駆動方式を採用した場合に、各小画素に対して出力される表示信号を示す図である。
【図１５】図７に示す小画素配置に対して第８の駆動方式を採用した場合に、各小画素に対して出力される表示信号を示す図である。
【図１６】第２実施形態によるカラーディスプレイの小画素配置を示す図。
【図１７】第２実施形態によるカラーディスプレイを明表示信号と暗表示信号を用いて駆動する様子を示す図。
【図１８】第２実施形態によるカラーディスプレイを明表示信号と暗表示信号を用いて駆動する別例の様子を示す図。
【図１９】カラーディスプレイの参照テーブルを示す図。
【図２０】カラーディスプレイの信号処理システムの構成を示す模式図。
【符号の説明】
【００６４】
１０：カラーディスプレイ
１１，１２：画素群
１１１：第１赤色小画素
１１２：第２赤色小画素
１１３：第３緑色小画素
１１４：第４緑色小画素
１１５：第５青色小画素
１１６：第６青色小画素
２００：液晶ディスプレイ
３０：カラーディスプレイ
３１：第１画素群
３２：第２画素群
３１１，３２１：第１緑色小画素
３１２，３２２：第２緑色小画素
３１３，３２３：第３赤色小画素
３１４，３２４：第４赤色小画素
３１５，３２５：第５青色小画素
３１６，３２６：第６青色小画素
３３：第３画素群
３４：第４画素群
３４１：第１緑色小画素
３４２：第２緑色小画素
３５：第５画素群
３５５：青色小画素
３６：第６画素群
３７：第７画素群
５０：カラーディスプレイ
５１：第１画素群
５２：第２画素群
５１１，５２１：第１緑色小画素
５１２，５２２：第２緑色小画素
５１３，５２３：第３赤色小画素
５１４，５２４：第４赤色小画素
５１５，５２５：第５青色小画素
５１６，５２６：第６青色小画素
８０：参照テーブル
８１：指示表示信号群
８２：明表示信号群（明表示信号参照テーブル）
８３：暗表示信号群（暗表示信号参照テーブル）
９０：信号処理システム
９１：第１参照値決定部
９２：第２参照値決定部
９３：データ選択器
９４：タイミングコントローラ
９６：データ駆動装置
９７：走査駆動装置
９８：ディスプレイ
【図１】
2006126830.tif 000003
【図２】
2006126830.tif 000004
【図３】
2006126830.tif 000005
【図４】
2006126830.tif 000006
【図５】
2006126830.tif 000007
【図６】
2006126830.tif 000008
【図７】
2006126830.tif 000009
【図８】
2006126830.tif 000010
【図９】
2006126830.tif 000011
【図１０】
2006126830.tif 000012
【図１１】
2006126830.tif 000013
【図１２】
2006126830.tif 000014
【図１３】
2006126830.tif 000015
【図１４】
2006126830.tif 000016
【図１５】
2006126830.tif 000017
【図１６】
2006126830.tif 000018
【図１７】
2006126830.tif 000019
【図１８】
2006126830.tif 000020
【図１９】
2006126830.tif 000021
【図２０】
2006126830.tif 000022